(57)【要約】  本発明は、ネットワーク型コンピュータシステムにおいて用語ベースコンセプトに関する証券のトランザクションを可能にするための方法及びシステムを提供する。コンセプトは、テーマに関連したワード又はフレーズのような用語のセットとして定義することができる。用語は、コンピュータ化サーチに使用できるものである。用語のセットは、手動で、又はコンピュータアルゴリズムを使用して、或いはその両方で決定できる。コンセプトは、例えば、広告価値の尺度により価値付けされる。証券は、コンセプト先物及び賭けを含む。コンセプトベースの証券は、例えば、防衛措置ツール、投機ツール、市場予想ツール、又はデータ発生ツールとして使用することができる。【選択図】図１
2006528390.tif 000002
【特許請求の範囲】
【請求項１】
証券のトランザクションを可能にする方法であって、
１つ以上の用語に基づくコンセプトのセットを定義するステップであって、前記コンセプトの各々は、１つ以上の用語のセットで構成され、それら用語は、コンピュータサーチに使用できるものであり、そして前記コンセプトの各々は、１つ以上のパラメータのセットに基づいて価値付けできるものであるステップと、
１つ以上の証券のセットでトランザクションを可能にするステップであって、前記証券の各々は、１つ以上の前記コンセプトに関連付けられ、そして前記証券の各々は、それに関連する１つ以上のコンセプトの価値に基づいて価値付けできるものであるステップと、
を備えた方法。
【請求項２】
少なくとも１つのコンピュータを使用して前記方法を実行するステップを更に備えた、請求項１に記載の方法。
【請求項３】
ネットワーク型コンピュータシステムにおいて前記方法を実行するステップを更に備えた、請求項１に記載の方法。
【請求項４】
前記コンセプトの前記用語の各々がテーマに関連するように前記コンセプトの各々を定義するステップを更に備えた、請求項１に記載の方法。
【請求項５】
コンセプトのセットを定義する前記ステップは、前記コンセプトの各々を価値付けできるようにコンセプトのセットを定義することを含み、各コンセプトの価値は広告価値である、請求項１に記載の方法。
【請求項６】
コンセプトのセットを定義する前記ステップは、前記コンセプトの各々を価値付けできるようにコンセプトのセットを定義することを含み、各コンセプトの価値は「実行に対して支払う」データに基づく、請求項１に記載の方法。
【請求項７】
サーチ型の広告媒介物としてのコンセプトに対する需要の１つ以上の尺度に基づいてコンセプト又はコンセプトの用語の少なくとも１つを価値付けするステップを更に備えた、請求項１に記載の方法。
【請求項８】
クリックごとに支払うサーチ型の広告システムにおいてクリックに関連した権利について証券の取引を可能にするステップを更に備えた、請求項６に記載の方法。
【請求項９】
前記ネットワーク型コンピュータシステムのユーザによる１つ以上の証券の購入及び販売を含むトランザクションを可能にするステップを更に備えた、請求項１に記載の方法。
【請求項１０】
前記ネットワーク型コンピュータシステムを使用し、１つ以上の証券をその価値について取引することを含むトランザクションを可能にするステップを更に備えた、請求項１に記載の方法。
【請求項１１】
前記用語の各々が、キャラクタ、キャラクターストリング、文字、ワード、フレーズ、省略形、センテンス及び記号の少なくとも１つを含むように、前記コンセプトの各々を定義するステップを更に備えた、請求項１に記載の方法。
【請求項１２】
手動の選択により用語を定義するステップを更に備えた、請求項１に記載の方法。
【請求項１３】
コンピュータアルゴリズムを使用して用語を定義するステップを更に備えた、請求項１に記載の方法。
【請求項１４】
クラスター化アルゴリズム、マシン学習アルゴリズム、自動命名アルゴリズム、及び人為的インテリジェンス型のアルゴリズムの少なくとも１つを使用して用語を定義するステップを更に備えた、請求項１に記載の方法。
【請求項１５】
手動選択及びコンピュータアルゴリズムの使用の組み合せを使用して用語を定義するステップを更に備えた、請求項１に記載の方法。
【請求項１６】
金融有価証券であるか又はその後にモデリングされる証券のトランザクションを可能にするステップを更に備えた、請求項１に記載の方法。
【請求項１７】
賭けトランザクションを可能にするステップであって、賭けがコンセプトの現在価値又は将来価値に関するものであるステップを更に備えた、請求項１に記載の方法。
【請求項１８】
オッズの賭け、ラインの賭け、及びパリミューチュエルの賭けの少なくとも１つを含む賭けトランザクションを可能にするステップを更に備えた、請求項１７に記載の方法。
【請求項１９】
賭けの配当価値を、コンセプトの将来価値及び賭けに関連した需要の少なくとも１つに基づかせるようにしたステップを更に備えた、請求項１７に記載の方法。
【請求項２０】
１つ以上のサーチエンジン又はサーチポータルにおけるサーチ用語としてのコンセプトの用語の使用に関連したパラメータに基づいてコンセプトを価値付けするステップを更に備えた、請求項１に記載の方法。
【請求項２１】
少なくとも１つのコンセプト及びコンセプトの１つ以上の用語の将来経済的価値の１つ以上の尺度の値に基づいてコンセプトを価値付けするステップを更に備えた、請求項１に記載の方法。
【請求項２２】
コンセプトの１つ以上の用語に関するインターネットの「クリックごとに支払う」オークションデータに基づいてコンセプトを価値付けするステップを更に備えた、請求項１に記載の方法。
【請求項２３】
前記インターネットの「クリックごとに支払う」オークションデータは、１つ以上の用語に対してある期間にわたり発生された合計収入、１つ以上の用語に対するある期間にわたる平均収入、１つ以上の用語に対するある期間にわたる中間収入、及び中間クリック価格、の少なくとも１つを備えた、請求項２２に記載の方法。
【請求項２４】
前記１つ以上の尺度は、広告データ、企業データ及び消費者データの少なくとも１つに関連したものである、請求項１に記載の方法。
【請求項２５】
１つ以上の証券の配当を、金銭、通貨、偽金、偽通貨、ゲームマネー、ゲーム通貨、クーポン、クレジット、割引、証明書、商品、サービス及び権利の少なくとも１つで呼ぶステップを更に備えた、請求項１に記載の方法。
【請求項２６】
トランザクションに関連したトランザクション料金、トランザクションに関連したリスト料金、トランザクションに関連した団体参加料金、トランザクションに関連したデータ販売、及びトランザクションを経た潜在的顧客への所有者の企業エンティティの露出の少なくとも１つに基づいてトランザクションが遂行される市場の所有者に対して収入の発生を容易にするステップを更に備えた、請求項１に記載の方法。
【請求項２７】
用語に基づくコンセプトの価値に基づいて価値付けできるトランザクションを可能にすることを少なくとも一部分容易にすると共に、コンセプトに関連した権利に対して「クリックごとに支払う」オークションも少なくとも一部分容易にするエンティティを備えた、請求項１に記載の方法。
【請求項２８】
サーチエンジンシステムから得られる１つ以上の用語のセットから１つ以上の用語を得るステップを更に備えた、請求項１に記載の方法。
【請求項２９】
１つ以上のコンピュータ化サーチに使用される１つ以上のサーチ用語のセットから１つ以上の用語を得るステップを更に備えた、請求項１に記載の方法。
【請求項３０】
１つ以上のコンピュータ化サーチに使用される１つ以上のサーチ用語のセットから１つ以上の用語を選択するステップを更に備えた、請求項１に記載の方法。
【請求項３１】
１つ以上のコンピュータ化サーチに使用される１つ以上のサーチ用語のセットから１つ以上の用語を導出するステップを更に備えた、請求項１に記載の方法。
【請求項３２】
ネットワーク型コンピュータシステムで証券のトランザクションを可能にする方法において、
１つ以上の用語に基づくコンセプトのセットを定義するステップであって、前記コンセプトの各々は、１つ以上のコンピュータアルゴリズムを使用して決定された１つ以上の用語のセットで構成され、それら用語は、コンピュータサーチに使用できるものであり、そして前記コンセプトの各々は、各コンセプトの広告価値を決定するために１つ以上のパラメータのセットに基づいて価値付けできるものであるステップと、
前記ネットワーク型コンピュータシステムを使用して、１つ以上の証券のセットでトランザクションを可能にするステップであって、前記証券の各々は、１つ以上の前記コンセプトに関連付けられ、そして前記証券の各々は、それに関連する１つ以上のコンセプトの価値に基づいて価値付けできるものであるステップと、
を備えた方法。
【請求項３３】
証券のトランザクションを可能にするネットワーク型コンピュータシステムであって、
ネットワークに接続できる１つ以上のクライアントコンピュータと、
前記クライアントコンピュータを使用して証券のトランザクションを容易にするためにネットワークに接続できる１つ以上のサーバーコンピュータであって、前記証券の各々は、１つ以上の前記コンセプトに関連付けられ、前記コンセプトの各々は、１つ以上の用語のセットで構成され、前記用語は、コンピュータ化サーチに使用できるものであり、そして前記コンセプトの各々は、１つ以上のパラメータのセットに基づいて価値付けできるものであるようなサーバーコンピュータと、
を備えたネットワーク型コンピュータシステム。
【請求項３４】
前記コンセプト、金融証券及びパラメータに関する情報を記憶するために前記ネットワークに接続できる１つ以上のデータベースを備えた、請求項３３に記載のシステム。
【請求項３５】
コンピュータ化装置で実行されたときに、コンピュータ化装置が、
１つ以上のコンセプトのセットを定義するステップであって、前記コンセプトの各々は、１つ以上の用語のセットで構成され、それら用語は、コンピュータサーチに使用できるものであり、そして前記コンセプトの各々は、１つ以上のパラメータのセットに基づいて価値付けできるものであるステップと、
前記ネットワーク型コンピュータシステムを使用して、１つ以上の証券のセットでトランザクションを可能にするステップであって、前記証券の各々は、１つ以上の前記コンセプトに関連付けられ、そして前記証券の各々は、それに関連する１つ以上のコンセプトの価値に基づいて価値付けできるものであるステップと、
を備えた方法を実行するようにさせるプログラムコードを記憶するコンピュータに使用可能な媒体。
【請求項３６】
証券のトランザクションを可能にするためのコンピュータ化システムにおいて、前記証券は、用語に基づくコンセプトの価値に基づいて価値付けすることができ、そして前記コンセプトの用語は、コンピュータ化サーチに使用できるものであり、用語に基づくコンセプトの用語を決定する方法が、
コンセプトに対するラベルを決定するステップと、
コンセプトの１つ以上の用語のセットを決定するステップと、
を備え、前記識別ラベルの決定及び１つ以上の用語のセットの決定の少なくとも１つを、１つ以上のコンピュータアルゴリズムで実行するようにした方法。
【請求項３７】
前記１つ以上のコンピュータアルゴリズムが前記ラベルを決定する、請求項３６に記載の方法。
【請求項３８】
前記１つ以上のコンピュータアルゴリズムが前記１つ以上の用語を決定する、請求項３６に記載の方法。
【請求項３９】
前記コンピュータアルゴリズムは、クラスター化アルゴリズム、マシン学習アルゴリズム、及び人為的インテリジェンスアルゴリズムの少なくとも１つを含む、請求項３６に記載の方法。
【発明の詳細な説明】
【技術分野】
【０００１】
本発明は、一般に、コンピュータ化された売買システムに係り、より詳細には、ネットワーク型コンピュータシステムにおいて用語に基づくコンセプトに関する証券のトランザクションを可能にする方法及びシステムに係る。
【０００２】
版権警告：本特許文献の開示の一部分は、版権保護を受ける資料を含んでいる。版権所有者は、誰かが特許文献又は特許開示を特許商標庁の特許ファイル又は記録に現われるように複写することに意義を唱えるものでなく、全ての版権は、何であれ、保持されるものとする。
【背景技術】
【０００３】
インターネットを含むネットワーク型コンピュータシステムが益々普及するにつれて、トランザクション及び売買を容易にするためのコンピュータ化システムの使用も人気を得ている。更に、インターネット型のマーケティング、広告及び販売も、成長を続けている。サーチ用語で表現されたユーザに関心のあるトピックに関連したサーチ結果を得るために、用語に基づくサーチエンジン又はサーチポータルが消費者ユーザにより使用されている。
【０００４】
サーチ結果は、例えば、ウェブサイトに関する短い記述や、ウェブサイトへのクリック可能な又は他の仕方で選択可能なリンクを各々含むヒットのリストを含むことができる。このようにして、インターネットユーザは、ユーザに関心のある商品、サービス又はコンテンツが見つかるウェブサイトへとクリックすることができる。その見つかったウェブサイト又は関連するウェブサイトにおいて、商品、サービス又はコンテンツの購入又は販売、或いは売買のようなトランザクションを行うことができる。サーチ結果は、種々の基準に基づいて与えることができ、例えば、ウェブサイトアドレス又はコンテンツにおけるサーチ用語の存在に基づいて与えることができる。
【０００５】
コンピュータ化サーチに使用される用語と、その用語に関連したトピック、テーマ又はコンセプトは、消費者の重要な関心及びトレンドを指示することができる。サーチ用語により指示されるこのようなトレンド及びそれらの将来の方向性は、当然、大衆に一般に関心のあるもので、企業に対して経済的に相当のインパクトを与え、広告の戦略やコスト、販売の成功及び量、並びに消費者の関心及びトレンドにしばしば関連した他の企業活動にも影響し得るものである。又、将来の消費者の関心及びトレンドは、予想が困難であり、企業にとって、広告コストや販売等を予想することが困難なままである。企業は、このような予想困難により生じる辛苦を低減するか、或いは良好な予想が得られると思われる場合にはそれに資本をかけることから利益を得ることができる。加えて、企業及び大衆も同様に、経済性又は広告の理由で、或いは個人の関心や、次に「人気の出る」エンターテナーは誰か、どんな歌手の現在の人気が間もなく下降するか、消費者に人気の出る次の電子機器は何か、等々の予想を試みる楽しみに関連した理由で、サーチ用語により指示される将来の消費者の関心及びトレンドを予想することに興味がある。
【０００６】
種々のコンピュータ化された売買システムが知られている。２００２年７月９日付の米国特許第６，４１８，４１７号は、天候に基づく金融証券を価値付けるためのコンピュータプログラムを説明している。
【０００７】
２０００年３月１４日付の米国特許第６，０３８，５５４号は、コミュニティ査定を使用したエンティティのコンピュータ支援型の価値付けを説明している。
【０００８】
２００３年１月７日付の米国特許第６，５０５，１７４号は、バーチャルスペシャリストファンクションを伴うコンピュータ実施の売買システムを説明している。
【０００９】
２００１年７月、マサチューセッツ州、ケンブリッジ、マサチューセッツ・インスティテュート・オブ・テクノロジーのＣＢＣＬ論文Ｎｏ．２００／ＡＩメモＮｏ．２００１−０１３に掲載されたチャン、Ｎ、Ｅ．ダーハン、Ａ．ロー、及びＴ．ポギオ著の「Experimental Markets for Product Concepts」は、参加者がバーチャルセキュリティにおける売買により新規製品コンセプトに対する自分の好みを表現し、コンセプトの価値がトレーダーの感情で決定されるような市場実験を説明している。それに関連した論文、即ち２００２年ワーキングペーパーＮｏ．１７２に掲載されたチャン、ニコラス、エリー・ダーン、アドラー・キム、アンドリュー・ロー、及びトマソ・ポギオ著の「Securities Trading of Concepts」は、擬似セキュリティ市場を使用して、新既製品コンセプトに関連した好みを計測することを説明している。
【００１０】
イオワ電子市場(Iowa Electronic Markets)は、ウェブサイトｈｔｔｐ：／／ｗｗｗ．ｂｉｚ．ｕｉｏｗａ．ｅｄｕ／ｉｅｍ／において、政治的事象から派生する証券に対する市場及び他の市場を説明している。
【発明の開示】
【発明が解決しようとする課題】
【００１１】
前記特許及び出版物に示されたように、金融証券の取引及び価値付けを支援し、そして市場を査定するためのコンピュータ化システムは知られているが、既存の技術では、用語に基づくコンセプトに関する証券のトランザクションを可能にするためのシステムも方法も提供されていない。
【００１２】
従って、用語に基づくコンセプトに関する証券のトランザクションを可能にするシステム及び方法が要望される。
【課題を解決するための手段】
【００１３】
ある実施形態では、本発明は、ネットワーク型コンピュータシステムにおいて用語に基づくコンセプトに関する証券のトランザクションを可能にするシステム及び方法を提供する。コンセプトは、テーマに関連したワード又はフレーズのような１つ以上の用語のセットとして定義することができる。用語は、コンピュータ化サーチにおいて使用できるものである。ある実施形態では、用語は、コンピュータ化サーチに使用されるサーチ用語、又はサーチエンジンシステムからの用語から得られ又は導出される。用語のセットは、手動で、又はコンピュータアルゴリズムを使用して、或いはその両方の組み合せで決定されてもよい。コンセプトは、広告価値の尺度のような１つ以上のパラメータのセットにより価値付けされる。証券は、コンセプト先物及び賭けを含む。コンセプトに基づく証券は、例えば、防衛措置（ヘッジ）ツール、投機ツール、市場予想ツール、又はデータ発生ツールとして使用することができる。
【００１４】
一実施形態において、本発明は、証券のトランザクションを可能にする方法を提供する。この方法は、１つ以上のパラメータのセットに基づいて各々価値付けすることのできる１つ以上のコンセプトのセットを定義することを含む。この方法は、更に、１つ以上の証券のセットにおいてトランザクションを可能にすることを含み、各証券は、１つ以上のコンセプトに関連付けられると共に、各証券は、その関連付けられた１つ以上のコンセプトの価値に基づいて価値付けすることができる。
【００１５】
別の実施形態において、本発明は、ネットワーク型コンピュータシステムで証券のトランザクションを可能にする方法を提供する。この方法は、１つ以上のパラメータのセットに基づいて各々価値付けすることのできる１つ以上のコンセプトのセットを定義することを含む。この方法は、更に、ネットワーク型コンピュータシステムを使用して、１つ以上の証券のセットにおいてトランザクションを可能にすることを含み、各証券は、１つ以上のコンセプトに関連付けられると共に、各証券は、その関連付けられた１つ以上のコンセプトの価値に基づいて価値付けすることができる。
【００１６】
別の実施形態において、本発明は、ネットワーク型コンピュータシステムにおいて証券のトランザクションを可能にする方法を提供する。この方法は、１つ以上の用語に基づくコンセプトのセットを定義することを含み、各コンセプトは、１つ以上の用語のセットを含み、それら用語は、コンピュータ化サーチに使用できるものであり、そして各コンセプトは、１つ以上のパラメータのセットに基づいて価値付けすることができる。この方法は、更に、ネットワーク型コンピュータシステムを使用して、１つ以上の証券のセットのトランザクションを可能にすることを含み、各証券は、１つ以上のコンセプトに関連付けられると共に、各証券は、その関連付けられた１つ以上のコンセプトの価値に基づいて価値付けすることができる。
【００１７】
別の実施形態において、本発明は、ネットワーク型コンピュータシステムにおいて証券のトランザクションを可能にする方法を提供する。この方法は、１つ以上の用語に基づくコンセプトのセットを定義することを含み、各コンセプトは、１つ以上のコンピュータアルゴリズムを使用して決定された１つ以上の用語のセットを含み、それら用語は、コンピュータ化サーチに使用できるものであり、そして各コンセプトは、各コンセプトの広告の価値を決定するために１つ以上のパラメータのセットに基づいて価値付けすることができる。この方法は、更に、ネットワーク型コンピュータシステムを使用して、１つ以上の証券のセットのトランザクションを可能にすることを含み、各証券は、１つ以上のコンセプトに関連付けられると共に、各証券は、その関連付けられた１つ以上のコンセプトの価値に基づいて価値付けすることができる。
【００１８】
別の実施形態において、本発明は、証券のトランザクションを可能にするネットワーク型コンピュータシステムを提供する。このシステムは、ネットワークに接続できる１つ以上のクライアントコンピュータを備えている。このシステムは、更に、クライアントコンピュータを使用して証券のトランザクションを容易にするためにネットワークに接続できる１つ以上のサーバーコンピュータも備え、各証券は、１つ以上のコンセプトに関連付けられ、各コンセプトは、１つ以上の用語のセットを含み、それら用語は、コンピュータ化サーチに使用できるものであり、そして各コンセプトは、１つ以上のパラメータのセットに基づいて価値付けすることができる。
【００１９】
別の実施形態では、本発明は、コンピュータ化装置で実行されたときに、そのコンピュータ化装置が、１つ以上のコンセプトのセットを定義する方法を実行するようにさせるプログラムコードを記憶するコンピュータに使用可能な媒体であって、各コンセプトは、１つ以上の用語のセットを含み、それら用語は、コンピュータ化サーチに使用できるものであり、そして各コンセプトは、１つ以上のパラメータのセットに基づいて価値付けすることができる。上記方法は、更に、ネットワーク型コンピュータシステムを使用して、１つ以上の証券のセットのトランザクションを可能にすることを含み、各証券は、１つ以上のコンセプトに関連付けられると共に、各証券は、その関連付けられた１つ以上のコンセプトの価値に基づいて価値付けすることができる。
【００２０】
別の実施形態では、本発明は、証券のトランザクションを可能にするコンピュータシステムであって、証券は、用語に基づくコンセプトの価値に基づいて価値付けることができ、そしてコンセプトの用語は、コンピュータ化サーチに使用できるものであるようなシステムにおいて、１つ以上の用語のセットを含むコンセプトを価値付けする方法を提供する。この方法は、少なくとも１つのコンセプトと、用語セットの１つ以上の用語とに関連した量的データを得ることを含む。この方法は、更に、そのデータに対して動作して、量的な統計学値を発生することも含む。この方法は、更に、その発生された統計学値に少なくとも一部分基づいてコンセプトの価値を決定することも含む。
【００２１】
別の実施形態では、本発明は、証券のトランザクションを可能にするコンピュータシステムであって、証券は、用語に基づくコンセプトの価値に基づいて価値付けることができ、そしてコンセプトの用語は、コンピュータ化サーチに使用できるものであるようなシステムにおいて、１つ以上の用語のセットを含むコンセプトを価値付けする方法を提供する。この方法は、コンセプトに対する少なくとも１つの需要と、用語セットの１つ以上の用語に対する需要とに関連した量的データを得ることを含む。この方法は、更に、そのデータに対して動作して、量的な統計学値を発生することも含む。この方法は、更に、その発生された統計学値に少なくとも一部分基づいてコンセプトの価値を決定することも含み、これは、コンセプトの価値の内部操作を防止するために少なくとも１つの尺度を取り入れることを含む。
【００２２】
別の実施形態では、本発明は、証券のトランザクションを可能にするコンピュータシステムであって、証券は、用語に基づくコンセプトの価値に基づいて価値付けることができ、そしてコンセプトの用語は、コンピュータ化サーチに使用できるものであるようなシステムにおいて、用語に基づくコンセプトの価値に基づいて価値付けることのできる証券の配当を決定する方法を提供する。この方法は、用語に基づくコンセプトの価値を最初に決定することを含む。更に、この方法は、証券に基づく配当及び用語に基づくコンセプトの決定値を決定することも含む。
【００２３】
別の実施形態では、本発明は、証券のトランザクションを可能にするコンピュータシステムであって、証券は、用語に基づくコンセプトの価値に基づいて価値付けることができ、そしてコンセプトの用語は、コンピュータ化サーチに使用できるものであるようなシステムにおいて、用語に基づくコンセプトの価値に基づいて価値付けることのできる証券の配当を決定する方法を提供する。この方法は、第１の時間周期にわたり用語に基づくコンセプトの価値を決定することを含む。更に、この方法は、証券に基づく配当及び第１時間周期にわたる用語に基づくコンセプトの決定値を決定することも含む。
【発明を実施するための最良の形態】
【００２４】
以下、同じ部分又は対応部分が同じ参照番号で示された添付図面を参照して、本発明を説明するが、これは、単なる例示であって、これに限定されるものではない。
好ましい実施形態の以下の説明において、本発明を実施できる特定の実施形態を例示した添付図面を参照する。他の実施形態を利用することもできると共に、本発明の範囲から逸脱せずに構造上の変更がなされ得ることを理解されたい。
【００２５】
ある実施形態では、本発明は、ネットワーク型コンピュータシステムにおいて用語に基づくコンセプト（以下、「用語ベースコンセプト」と称する。）に関連した証券のトランザクションを可能にする方法及びシステムを提供する。コンセプトは、テーマに関連したワード又はフレーズのような用語のセットとして定義することができる。用語は、コンピュータ化サーチにおいて使用できるものである。用語のセットは、手動で、又はコンピュータアルゴリズムを使用して、或いはその両方の組み合せで決定されてもよい。コンセプトは、広告価値の尺度のような１つ以上のパラメータのセットにより価値付けされる。証券は、コンセプトの先物及び賭けを含む。コンセプトに基づく証券（以下、「コンセプトベースの証券」と称する。）は、例えば、防衛措置ツール、投機ツール、市場予想ツール、又はデータ発生ツールとして使用することができる。
【００２６】
ある実施形態では、コンセプトの用語が、例えば、インターネットを経てアクセスできるサーチエンジン及びサーチポータルにおいて、サーチ用語として使用可能である。このようなサーチエンジン又はサーチポータルは、非スポンサー付きサーチポータル、スポンサー付き又はクリップごとに支払う(pay-per-click)サーチポータル、或いは非スポンサー付き及びスポンサー付きの組み合せポータルを含むことができる。ある実施形態では、コンセプトの用語は、コンピュータ化サーチに使用される用語から、或いはシステム又はサーバーのデータベースを含むことのできるサーチエンジン又はサーチポータルシステム又はサーバーから得られる用語から得られるか又は導出される。
【００２７】
スポンサー付きサーチポータルの場合には、１つ以上のサーチポータルの所有者又は運営者、或いはこのようなサーチポータルとで構成をなすことのできるエンティティと共に、ウェブサイトの所有者又は運営者によりなされた構成に基づいて、サーチ結果を与えることができる。例えば、特定の商品、サービス又はコンテンツが販売されるウェブサイトの所有者は、それらのサーチ結果の中で、オファーされた商品、サービス又はコンテンツへの関心を示す用語（１つ又は複数）を含むサーチを表わすようにウェブサイトに関するヒット、広告又はスポンサー付きリンクを構成するためにサーチポータル所有者又は別のエンティティに支払してもよい。ある実施形態では、サーチポータル所有者又は運営者、或いはこのような構成をなす他のエンティティは、以下に述べるように、コンセプトベースの証券における市場の所有者又は運営者、或いはそれに関連したものと、市場におけるトランザクションを容易にするために使用されるコンピュータハードウェア又はソフトウェアとである。
【００２８】
ある場合には、ウェブサイト所有者が、所与のサーチ用語又は用語のセットに対するサーチ結果においてそれらの広告又はスポンサー付きリンクの位置、傑出度又はランクに基づいて入札できるオークションが行われる。クリックごとの支払(Pay-Per-Click)又はそれに関連した形式の構成では、サーチ結果においてあるサーチ用語（１つ又は複数）に対して呼び物とされるべきウェブサイトへのリンク又は広告について支払するウェブサイト所有者は、例えば、それらの呼び物とされるリンクをクリックするユーザの人数に基づいて支払してもよい。
【００２９】
ここで、「証券(instrument)」という語は、賭けを含む任意の種類の利権、資産、権利、特権又は利益の媒介物、具体化又は指標を含むことができ、そして公式な書面、文書、又はその他記念的表現、媒介物、具体化又は指標に限定されない。ここで、「用語(term)」という語は、例えば、任意の種類の１つ以上のキャラクター、キャラクターストリング、文字、ワード、フレーズ、省略形、センテンス又は記号を含むことができる。ここで、「コンセプト」という語は、１つ以上の用語のグループを含むが、ある実施形態では、用語ベースでないテーマ又は抽象を含み得る。ある実施形態では、コンセプトは、共通のテーマに関連した用語のグループを含む。ここで、「コンセプト市場」という語は、コンセプト、又はコンセプトに関連した証券、或いはコンセプトの用語を含む市場を含む。
【００３０】
ここで、「市場」という語は、任意の種類の売買、取引、購入、販売、及びトランザクション、並びにこのような行動を容易にし、受け容れ又は許すシステム又はエンティティを含む。電子的及びコンピュータ化された売買システム及び市場は、この技術で知られている。種々のコンピュータ化された売買システム又はそのエレメントに関する例及び記述は、例えば、参考としてここにその全体を援用する次の米国特許に見ることができる。ケイサー氏等の米国特許第６，５０５，１７４号、フェーンホルツ氏の米国特許第５，８１９，２３８号、ニメイヤ氏の米国特許第３，５８１，０７２号、ルピエン氏等の米国特許第５，１０１，３５３号、トラウブ氏等の米国特許第５，９４０，８１０号、シルバーマン氏等の米国特許第５，９２４，０８２号、ローレンス氏の米国特許第５，９１５，２０９号、フラサー氏等の米国特許第５，９０５，９７４号、フェステンベルグ氏等の米国特許第５，８７３，０７１号、ガーマン氏の米国特許第５，８１９，２３７号、ブロッカ氏等の米国特許第５，８０９，４８３号、ジンスベルグ氏の米国特許第５，７７４，８８０号、トゾリ氏等の米国特許第５，７１７，９８９号、ホーキング氏等の米国特許第５，４９７，３１７号、ステイドルメイヤー氏等の米国特許第５，４５４，１０４号、トロジャン氏等の米国特許第５，２９７，０３２号、ワーグナ氏の米国特許第４，９０３，２０１号、マスマノ氏等の米国特許第４，７７４，６６３号、カルマス氏等の米国特許第４，６７４，０４４号、マルオカ氏等の米国特許第５，３１３，５６０号、及びハント氏等の米国特許第５，７２４，５２４号。図１は、本発明の一実施形態によりコンセプト市場プログラム１０８を組み込んだ分散型コンピュータシステム１００のブロック図である。
【００３１】
図１に示すコンピュータシステム１００では、１つ以上のサーバーコンピュータ１０２がインターネット１１２を経て１つ以上のクライアントコンピュータ１１４、１１６、１１８に接続される。インターネット１１２が示されているが、コンピュータを接続するネットワークは、ネットワーク又は分散型コンピュータシステムのいずれか又はそのアレーを広範囲に含むことができ、それらは、ワイヤード又はワイヤレスネットワーク、パブリックネットワーク、プライベートネットワーク、セキュアな又は非セキュアなネットワーク、セルラー電話ネットワーク、１つ以上のローカルエリアネットワーク、１つ以上のワイドエリアネットワーク、ピア対ピアネットワーク又はシステムを含むと共に、インターネットへの接続も含むことができるが、インターネットへの接続が設けられない本発明の実施形態も意図される。
【００３２】
以下に詳細に述べるように、図１及び１Ａに示された本発明の実施形態は、コンセプト市場データベースを含むアレンジャーエンティティサーバーや、サーチエンジンサーバーのような１つ以上のサーバーコンピュータと、クライアントコンピュータとを含むことのできるコンピュータのネットワークを備えている。しかしながら、ネットワークが含まれない本発明の実施形態も意図されることを理解されたい。例えば、ある実施形態では、本発明による方法は、コンピュータ、コンピュータ化装置、或いはポータブル又はハンドヘルド電子又はコンピュータ化装置であってネットワークや他のコンピュータ又は装置に接続されない装置を使用して実施される。例えば、ある実施形態では、本発明による方法は、１つ以上のサーバーコンピュータ又はデータベースからダウンロードされるか又は他の仕方で得られるプログラム又は情報、或いはコンピュータ又は装置へ供給されるか、それにより得られるか、又はそれに含まれるプログラム又は情報を使用して、スタンドアローンコンピュータ又は装置で実施される。
【００３３】
クライアントコンピュータ１１４、１１６、１１８の各々は、１つ以上の中央処理ユニット（ＣＰＵ）１２０、１２２、１２４と、１つ以上のネットワーク又はインターネットブラウザプログラム１３２、１３４、１３６を含むことのできる１つ以上のデータ記憶装置１２６、１２８、１３０とを備えている。
【００３４】
サーバーコンピュータ１０２は、１つ以上のＣＰＵ１０４と、１つ以上のデータ記憶装置１０６とを備えている。データ記憶装置１０６は、コンセプト市場プログラム１０８と、関連データベース又は他の形式のデータベースである１つ以上のコンセプト市場データベース１１０とを備えている。図示されたように、コンセプト市場データベース１１０は、サーバーコンピュータ１０２内に位置されているが、本発明は、コンセプト市場データベース１１０がサーバーコンピュータ１０２の完全に外部又は部分的に外部に位置される実施形態、及びコンセプト市場データベース１１０が多数のデータ記憶装置及び位置間に分布される実施形態も意図している。
【００３５】
データ記憶装置１０６、１２６、１２８、１３０は、コンピュータプログラム又は他のデータを記憶するための種々の量のＲＡＭを備えてもよい。更に、サーバーコンピュータ１０２及びクライアントコンピュータ１１４、１１６、１１８の両方は、コンピュータに通常見られる他のコンポーネントを含むことができ、それらは、モニタのような１つ以上の出力装置と、ハードディスク、フロッピー（登録商標）ディスクドライブ及びＣＤ−ＲＯＭドライブのような他の固定又は取り外し可能なデータ記憶装置と、キーボード、マウスポインティング装置或いは他のポインティング又は選択装置のような１つ以上の入力装置とを含む。
【００３６】
一般に、サーバーコンピュータ１０２及びクライアントコンピュータ１１４、１１６、１１８の両方は、ウインドウズ、マッキントッシュ、ＵＮＬＸ等のオペレーティングシステムの制御のもとで動作してコンピュータプログラムを実行する。ここに示す実施形態では、本発明は、サーバーコンピュータ１０２から実行されるコンセプト市場プログラム１０８を使用して実施されるが、別の実施形態では、コンセプト市場プログラム１０８を他の場所に配置し又は他の場所で実行することができる。コンセプト市場プログラム１０８は、ここに述べる本発明の方法の実施を容易にするために使用される全てのプログラミング、アプリケーション、ソフトウェア又は他のツールを広く表わしている。
【００３７】
一般に、本発明のコンピュータプログラムは、コンピュータ読み取り可能な媒体、例えば、コンピュータにアタッチされた１つ以上のデータ記憶装置において有形に実施される。オペレーティングシステムの制御のもとで、コンピュータプログラムは、データ記憶装置から、ＣＰＵにより後で実行するためにコンピュータＲＡＭへロードすることができる。コンピュータプログラムは、コンピュータにより読み取られて実行されるときに、本発明の要素を実行するのに必要なステップをコンピュータが実行するようにさせる命令を備えている。
【００３８】
本発明の種々の実施形態では、クライアントコンピュータ１１４、１１６、１１８のユーザは、互いに、又は１つ以上の組織、取引所、帳簿、賭博場又は組織を含む市場とコンセプトベースの証券のトランザクションを行うこともできるし、或いはその両方とトランザクションを行うこともできる。ある実施形態では、市場は、サーバーコンピュータ１０２、コンセプト市場データベース１１０又はその両方に関連付けることができる。サーバーコンピュータ１０２、又はサーバーコンピュータ１０２により与えられる市場へのアクセスは、パブリックなものでもよいし、或いはプライベート又はセキュアなものでもよい。ある実施形態では、アクセスは、１つ以上のファイアウオール、パスワード保護、又はパブリック、プライベートキー暗号化、或いは他の手段によりセキュアなものとされる。
【００３９】
図１Ａは、本発明の一実施形態に基づく分散型コンピュータシステム１４８である。このシステム１４８は、インターネット１１２又は他のネットワークを経て多数のサーチエンジンサーバー１５４、１５６、１５８に接続されたアレンジャーエンティティコンピュータ１５０を備えている。これらサーチエンジンサーバー１５４、１５６、１５８は、サーチエンジン又はサーチポータル所有者又は運営者に関連したサーバーコンピュータであり、そしてアレンジャーエンティティコンピュータ１５０、サーチエンジンサーバー１５４、１５６、１５８又はその両方に接続できるクライアントコンピュータへサーチエンジン及びサーチ結果を与えることができる。アレンジャーエンティティコンピュータは、図１に示すようなコンセプト市場プログラム１０８を含むことができると共に、図１に示すコンセプト市場データベース１１０の一実施形態であるコンセプト市場データベース１６０を備えている。
【００４０】
ある実施形態では、アレンジャーエンティティサーバー１５０に関連したアレンジャーエンティティは、例えば、サーチエンジンサーバー１５４、１５６、１５８又はそのユーザ、及びウェブサイト所有者又は運営者或いは広告主のようなサーチエンジン又はポータルサーバー又はシステムに関連して構成を行う。例えば、アレンジャーエンティティは、サーチエンジンサーバー１５４、１５６、１５８の１つ以上により与えられるサーチエンジンを使用して用語ベースのコンピュータ化サーチを実行するクライアントコンピュータのユーザに与えられるサーチ結果の一部分としてウェブサイト又は広告へスポンサー付きリンクを付与するのを容易にすることができる（アレンジャーエンティティを含むシステムの幾つかの実施形態に詳細については、以下の「配当出力」の章を参照されたい）。アレンジャーエンティティの一例は、インターネットベースのコンピュータ化サーチ関連サービス及び構成を提供するオーバーチューンサービスインクである。本発明のある実施形態では、サーチ用語並びにサーチ用語使用データ及び統計学値を含むことのできるサーチ関連データが、サーチエンジンサーバー１５４、１５６、１５８から、コンセプト市場データベース１６０に記憶されるように通信される。ある実施形態では、サーチ関連データは、例えば、ここに述べる「コンセプト価値測定」の章に説明されたように、「クリックごとの支払(Pay-Per-Click)」オークションデータ及び統計学値を含むことができる。
【００４１】
図２−５は、本発明による方法の幾つかの実施形態を示すフローチャートである。ある実施形態では、サーバーコンピュータ１０２で実行されるコンセプト市場プログラムを使用して、クライアントコンピュータ１１４、１１６、１１８のユーザにより、用語ベースのコンセプトに基づいて価値付けされた証券の売買、取引、購入、販売、又はその他トランザクションを行うことが許される。例えば、サーバーコンピュータ１０２は、クライアントコンピュータによりアクセスできるウェブページ（１つ又は複数）を与え、これにより、トランザクションが容易にされる。
【００４２】
ある実施形態では、コンセプトは、テーマに関連したサーチ用語を含む。例えば、「Ｐｏｃｋｅｔ  ＰＣ」と命名されるコンセプトは、ポケットＰＣフォーマットを使用するハンドヘルド計算装置に関連した用語を含むことができる。このコンセプトは、例えば、「ｐｏｃｋｅｔ」、「ｐｏｃｋｅｔ  ＰＣ」及び「ｐｏｃｋｅｔＰＣ」という用語を含むことができる。コンセプトは、特殊性又は一般性に関して異なる巾又は粒状性をもつことができる。例えば、「ｈａｎｄｈｅｌｄ  ｃｏｍｐｕｔｅｒ」と命名されるコンセプトは、Ｐｏｃｋｅｔ  ＰＣコンセプトより広く即ちより一般的であり、色々な種類のハンドヘルドコンピュータに関連した種々のサーチ用語を含むことができる。例えば、ハンドヘルドコンピュータのコンセプトは、上述した用語と、「ｈａｎｄｈｅｌｄ  ｃｏｍｐｕｔｅｒｓ」、「Ｗｉｎｄｏｗｓ（登録商標）  ＣＥ」及び多数の考えられる他のものとを含むことができる。
【００４３】
コンセプトは、種々の考えられるパラメータに基づいて、多数の異なる方法で価値付けすることができる。ある実施形態では、コンセプトは、それらの広告又は経済的価値又は需要の尺度（１つ又は複数）に基づき、ある将来の期間を通してのサーチ用語としてのそれらの使用に関連して価値付けされる。例えば、「クリックごとの支払」コンテクストでは、コンセプトの広告価値は、コンセプトの用語（１つ又は複数）の人気の尺度に依存し得る。例えば、ハンドヘルドコンピュータが益々普及する場合には、ハンドヘルドコンピュータのコンセプトの広告価値がより高くなる。というのは、より多くのユーザがサーチにその用語を使用して、潜在的に、スポンサー付きリンクにおけるより多くのトラフィック、より多くのクリック（ここで使用する「クリック」という語は、リンク又は他の広告媒介物を選択し又は関与させる仕方を含む）を招くと共に、例えば、スポンサー付きウェブページ又はウェブサイトにおける商品、サービス又はコンテンツのより多くの販売を招くからである。
【００４４】
コンピュータ化サーチ、サーチ結果、クリック、広告への露出、又は特定コンセプトの使用に対するそれらの属性を決定し、計算し又は査定するのに、種々の考えられる技術又は解決策を使用することができる。例えば、コンセプトが多数の用語を含むものとして定義されるケースについて考える。コンセプトの使用は、サーチにいずれかの用語を使用し、又はサーチに幾つかの用語を使用し、或いはサーチにそのコンセプトの全用語を使用することを必要とするものとして定義するか又は解釈することができる。或いは又、例えば、サーチに使用されるコンセプトの用語の数に基づいて部分的使用尺度をコンセプトに帰属させる重み付けシステムを使用することもできる。更に、単一サーチが２つ以上のコンセプトの用語を使用するようなケースを考える。使用をコンセプト間で分割するように査定することもできるし、或いは最初に現われるサーチ用語を含むコンセプトに帰属させるように査定することもできるし、等々である。ある実施形態では、平均、中間等の数学的統計学的な式を、このような査定及び決定に使用できる。
【００４５】
図２は、本発明の一実施形態により用語ベースのコンセプトに関連した証券のトランザクションを行う方法２００を示すフローチャートである。この方法２００は、例えば、コンセプト市場プログラム１０８、及びコンセプト市場データベース１１０からのデータを使用して実行することができる。ステップ２０２において、１つ以上の用語ベースのコンセプトのセットが定義される。各コンセプトは、コンピュータ化サーチに使用できる用語のセットを含み、そして各コンセプトは、１つ以上のパラメータのセットに基づいて価値付けすることができる。ステップ２０４では、ネットワーク型コンピュータシステム１００を使用して、コンセプトに関連した証券のトランザクションが許される。証券は、それに関連するコンセプトの価値に基づいて価値付けすることができる。
【００４６】
ステップ２０２に示すように、コンセプトは、１つ以上のパラメータのセットに基づいて価値付けすることができる。このようなパラメータ（１つ又は複数）は、ある種の情報、指標、尺度、統計学値、記述、量、非量的情報、又はコンセプトの価値付けに使用される他の情報を含み、これは、ある実施形態では、主観的な人間の判断又は推測に基づく情報を含む。
【００４７】
コンセプトについての種々の形式の価値が本発明により意図される。ある実施形態では、コンセプトの価値は、１つ以上の指標又は尺度、例えば、コンセプトの経済的又は社会的価値、需要又は真価の、或いはコンセプトの成分用語（１つ又は複数）の、数値又は統計学的指標によって決定することができる。このような指標は、例えば、広告主、企業、組織、消費者又はその組み合せにより与えられるか又はそれに関連した情報、及び前記エンティティの活動に関する情報から得ることができる。この情報は、コンセプトの価値を指示する上で明示的であり、或いはこれらエンティティからの情報がコンセプトの価値を特別に又は排他的に指示しない場合でもその情報が価値の査定に有用であるという意味で暗示的である。
【００４８】
ある実施形態では、コンセプトの価値は、現在又は将来の広告の価値であると考えられる。ある実施形態では、広告の価値は、広告主又は広告情報により決定することができる。例えば、コンセプトの価値は、上述したように、そのコンセプトを作り上げている全ての又は幾つかの用語に対して「クリックごとの支払」オークションで発生した合計四半期収入により測定することができる。この尺度が適当である理由は、このオークションで発生した収入が、そのような用語に対して支払われた金額に依存し、且つ広告主が、大きな広告的又は経済的価値をもつと考えられ又は査定される用語についてより多くを支払うからである。
【００４９】
ある実施形態では、コンセプトの広告価値は、そのコンセプトに関連した購入又は他の消費者活動から決定することができる。例えば、歌手ブリットニー・スペアに関連したコンセプトについては、ブリットニー・スペアの歌を聴き又はブリットニー・スペアの音楽ビデオを視聴するのに消費する「演奏に対して支払う(Pay-for-Performance)」（Ｐ４Ｐ）消費者に関連したＰ４Ｐデータを使用して、広告価値を決定することができる。
【００５０】
図３は、用語ベースのコンセプトに関連した証券のトランザクションを行う方法３００であって、コンセプトのサーチ用語を決定することを含む方法を示すフローチャートである。この方法３００は、例えば、コンセプト市場プログラム１０８と、コンセプト市場データベース１１０からのデータとを使用して実行することができる。ステップ３０２において、コンセプトが命名される。ある実施形態では、コンセプトは、コンセプト又はその成分用語に関連したトピック又はテーマに基づいて命名される。
【００５１】
ステップ３０４では、コンセプトに対するサーチ用語のセットを容易に決定するためにコンピュータアルゴリズムが使用される。ある実施形態では、その決定を行うのにコンセプトの名前が使用されるが、別の実施形態では、使用されない。異なる実施形態では、サーチ用語のセットの決定は、手動で行うこともできるし、１つ以上のコンピュータアルゴリズムを使用して行うこともできるし、又はその両方の組み合せで行うことができる。例えば、ある実施形態では、コンセプトのサーチ用語は、主観的な人間の判断で決定される。他の実施形態では、サーチ用語は、アルゴリズム、例えば、クラスター化、マシン学習、又は人為的インテリジェンスアルゴリズム（１つ又は複数）を使用して決定される。更に、ある実施形態では、コンセプト又はコンセプトの用語は、所定のコンセプト又は用語のグループから手動で又は自動的に選択することができる。更に、ある実施形態では、コンセプトの用語は、関連ファクタが変化するにつれて、時間と共に変化してもよいし改訂されてもよい。
【００５２】
ステップ３０６では、コンセプトの先物証券が購入され、コンセプトの先物証券は、コンセプトの価値に関連したものである。ステップ３０８では、ネットワーク型コンピュータシステムを使用して、証券の売買、販売又は取引が行われる。
【００５３】
図４は、サーチベースの広告媒介物としてのコンセプトに対する需要の尺度、例えば、広告に関連したコンセプト又はその成分用語（１つ又は複数）の使用に対する需要の尺度に基づいて価値付けされた用語ベースのコンセプトに関連した証券のトランザクションを行う方法４００を示すフローチャートである。この方法４００は、例えば、コンセプト市場プログラム１０８と、コンセプト市場データベース１１０からのデータとを使用して実行することができる。前記尺度は、例えば、「クリックごとの支払」オークションにおける用語に入札するウェブサイト所有者による用語に対する需要に関連したものでよい。このような需要は、例えば、用語を使用するサーチからのサーチ結果に関連してリストに対して支払った金額（１つ又は複数）に関する統計学値により測定することができる。
【００５４】
ステップ４０２では、コンセプトが決定されるか、又は既存のコンセプトが選択される。ステップ４０４では、コンセプトの価値に関連したコンセプト先物証券が購入され、コンセプトの価値は、サーチベースの広告媒介物としてのコンセプトに対する需要の尺度により決定され、これは、コンセプト、又はコンセプトの１つ以上の用語の使用又はそれに対する権利（１つ又は複数）についての需要を含み、これは、広告の使用又は広告に関すると共に、コンセプト又は１つ以上のその用語に関連したサーチに関するものである。ステップ４０６では、ネットワーク型コンピュータシステムを使用して、証券が売買され、取引され、購入され又は販売される。
【００５５】
図５は、賭けを含む用語ベースのコンセプトに関連した証券のトランザクションを行う方法５００を示すフローチャートである。この方法５００は、例えば、コンセプト市場プログラム１０８と、コンセプト市場データベース１１０からのデータとを使用して実行することができる。ステップ５０２では、コンセプトが決定されるか又は既存のコンセプトが選択される。ステップ５０４では、コンセプトの先物価値に関して賭けが提起され、構成され又は確立される。ステップ５０６では、賭けについての配当が得られる。配当は、賭けに関連した需要、又は将来の時間又は将来の期間を通してのコンセプトの価値、或いはその両方に基づく。
【００５６】
ある実施形態では、コンセプトに対する賭け、例えば、コンセプトの先物に関する賭けをオファーするエンティティは、賭けの価格、配当又はオッズを、賭け手、オファーするエンティティ、又はその両方のようなエンティティ間で賭けに対する測定された需要又は総計需要により又はそれに基づいて全体的又は部分的に設定することができる。ある実施形態では、提起された賭けに関連した総計需要が高いほど、その提起された賭けの価格又は配当が高くなり、そしてその逆のことも言える。ある実施形態では、提起された賭けの価格、提起された賭けの配当、又はその両方を、提起された賭けに関連した総計需要が高くなるにつれて、増加することができる。総計需要は、例えば、同じ賭け、同様の賭け、或いは提起された賭けに関連した同じコンセプト又はコンセプトの用語に関連した賭け、に対する需要又は需要の尺度であるか、或いはそれにより査定又は測定することができる。ある実施形態では、提起された賭けとは逆に配当が関連付けされる賭けは、提起された賭けに関して総計需要に否定的な作用を及ぼし、これは、例えば、関連するコンセプトの価値が増加する場合にその提起された賭けがより高い配当を有し、一方、コンセプトの価値が減少する場合には別の賭けがより高い配当を有するケースである。
【００５７】
本発明は、コンセプトに関連した種々の形式の証券を意図している。ここで使用する「配当(payoff)」という語は、証券（１つ又は複数）の取引に基づいて得た何かを含み、即ち株又は株のような証券に対して得られた支払、並びに賭けの配当を含む。配当は、ＵＳドル、通貨、偽金又は通貨、ゲーム用マネー又は通貨、クレジット、クーポン、割引、証明書、アイテム、商品、サービス、コンテンツ、権利、商品又はサービスに対する権利、アイテムに対する権利、特定の価格における商品又はサービスに対する権利、オプション、或いは有形又は無形の真価又は価値の他のアイテム又はエンティティのような金銭の形態である。
【００５８】
一般に、証券の配当は、配当の時期における証券の価値であるか、又はそれに関連したものである。ここで、「コンセプト先物」という語は、賭けの証券、金融証券、或いは賭けの証券又は金融証券の後にモデリングされる証券であって、その価値又は配当が、ある将来の期間にわたり又はその期間中、或いはある将来の時期におけるコンセプトの価値に関連付けられるような証券を含む。ある実施形態では、コンセプト先物は、割引された先物価値である現在価値を有する。コンセプト先物の一例は、上述したように、特定コンセプトの全ての又は幾つかの用語に対して「クリックごとに支払う」オークションで発生した四半期の収入に基づいて四半期配当金を支払う証券である。
【００５９】
ある実施形態では、コンセプト先物のようなコンセプトベースの証券に対する現在価格は、公共の取引所で取引される株の価格が需要に応じて変化するのと同様に、時間の経過と共に需要に基づいて変動する。価格は、需要が増加すると、高くなり、又は需要が減少すると、低くなる。
【００６０】
ある実施形態では、サーバーコンピュータ１０２は、例えば、インターネットを経て公衆にアクセスできる市場又は仮想市場を提供するように使用される。市場とは、例えば、ニューヨーク株取引所のような公共の株式市場と同様であり、又はその後にモデリングすることができる。仮想市場では、コンセプトベースの証券、例えば、コンセプトベースの株又は仮想株を購入、販売、売買又は取引するためのオーダーを出しそして埋めることができる。ある実施形態では、標準的なダブルオークション、又は両側オークションメカニズムを使用してオーダーが連続的に埋められる。
【００６１】
以下の説明においては、一般的及び全体的な編成上の目的で章の見出しが設けられる。このような見出しは、このような見出しのもとでのテキストがその見出しに関連した本発明の態様のみに関係し又はそれだけを記述することを示すものでもないし、或いは特定の見出しに関連した説明がそのような見出しのもとでしか見つからないことを示すものでもない。
【００６２】
コンセプトの命名及び用語の決定
図３を参照して簡単に述べたように、例えば、コンセプトの用語を命名しそして識別することでコンセプトを選択することは、多数の異なる仕方で遂行できる。コンセプトの名前及び用語は、個人又はチームにより手動で発生することができる。或いは又、手動又は自動プロセスにより発生された名前又は用語の大きなコーパスから名前又は成分用語を手動で選択することができる。それとは別に、計算又はコンピュータアルゴリズム（１つ又は複数）、例えば、クラスター化アルゴリズム、マシン学習アルゴリズム、又は人為的インテリジェンスアルゴリズム（１つ又は複数）を使用して、名前及び用語の大きなコーパスからコンセプトの名前及び成分用語を自動的に選択することができる。
【００６３】
コンセプト又はその成分用語を発生し又は選択する１つの仕方は、自動及び手動手段又は方法のある組み合せを使用することである。例えば、その成分を自動的に発生することができ、そしてコンセプトを手動で命名することができる。或いは又、コンピュータアルゴリズムで最初に結果を決定又は選択し、次いで、結果を手動で洗練、変更又は追加することもできるし、或いはこれらステップの何回もの繰り返しを含むフィードバックループを使用することもできる。
【００６４】
コンセプトの巾及び粒状性は、図２−５を参照した一般的な説明において上記で簡単に述べた。一般に、粒状性とは、コンセプトがどれほど一般的なもの又は特殊なものであるか示す。ある実施形態において、クラスター化アルゴリズムを使用してコンセプト成分が選択される場合には、アルゴリズムは、得られる用語クラスターの全体的な特殊性又は一般性を設定するためのパラメータ又は自然パラメータを含むことができる。ある実施形態では、例えば、サーバーコンピュータ１０２により設けられる市場は、極端な場合に単一の用語で構成できる非常に特殊なコンセプト、又は多数の用語で各々構成される非常に一般的なコンセプトを含み又は主として含むように設計される。
【００６５】
コンセプト（１つ又は複数）を選択又は決定するときに幾つかのファクタを考慮するのが有用であると認められる。これらのファクタは、（１）市場参加者及び大衆にとってコンセプトをいかに理解できるか、（２）市場参加者又は大衆にとってコンセプトにいかに関心があるか、（３）防衛措置及び予測に関してコンセプトがいかに経済的に関連しているか（以下に詳細に述べる）、及び（４）手動であるか、自動であるか、又はその両方の組み合せであるかに関わらず、コンセプトの名前及び用語を発生し及び／又は時間と共に更新することがいかに困難であるか、を含む。
【００６６】
コンセプトの価値の測定
本発明の種々の実施形態では、コンセプトの価値を計測又は決定するための多数の異なる仕方が考えられ、異なる尺度、統計学値、指数、量、変数等を含む。このような尺度についてのデータは、例えば、図１に示すコンセプト市場データベース１１０に記憶することができる。
【００６７】
「クリックごとに支払う」オークションは、上記で簡単に述べた。以下、「クリックごとに支払う」オークションの情報及び統計学値を使用してコンセプトの価値を計測し又は決定する実施例を説明する。以下に述べる「クリックごとに支払う」オークションに関連した実施例で使用する「収入」とは、「クリックごとに支払う」オークション、例えば、オークションを提供し又は容易にするエンティティにより導出される収入を指す。以下の説明において、Ｔは、コンセプトを作り上げる全ての用語のセットを表わす。ｔ∈Ｔは、特定の用語をインデックスする。ｒtは、用語ｔについてある期間（例えば、１会計四半期）にわたって発生した全収入を表わす。ｂtは、ある期間にわたる用語ｔの入札価格のリストである。Ｍａｘｂｉｄt＝Ｍａｘb∈btｂは、ある期間にわたる用語ｔの最大入札価格を表わす。同様に、Ａｖｇｂｉｄt＝［ｓｕｍb∈btｂ］／［｜ｂt｜］は、平均入札価格を表わし、そしてｍｅｄｂｉｄt＝ｍｅｄｉａｎb∈btｂは、中間入札価格を表わす。ｃtは、ある期間にわたる用語ｔのクリック価格のリストを表わし、これは、クリック（又は他の選択行為）のために広告主により実際に支払われた価格のリストを意味する。Ｍａｘｃｌｉｃｋt＝Ｍａｘc∈ctｃは、ある期間にわたる用語ｔの最大クリック価格を表わす。同様に、Ａｖｇｃｌｉｃｋt＝［ｓｕｍc∈ctｃ］／［｜ｃt｜］は、平均クリック価格を表わし、そしてｍｅｄｃｌｉｃｋ＝ｍｅｄｉａｎc∈ctｃは、中間クリック価格を表わす。ｃallは、ある期間にわたる全ての用語ｔ∈Ｔのクリック価格の全リストを表わす。
【００６８】
以上を使用して、コンセプトを価値付けるための種々の考えられる尺度を公式化することができ、これは、コンセプトに関連した需要又は人気に関する量的データのようなデータを操作することを含み得る。このような尺度の幾つかを以下に示す。
ある期間当たりの合計収入：Σt∈Tｒt                          （１）
ある期間当たりの平均収入：［Σt∈Tｒt］／［｜Ｔ｜］          （２）
ある期間当たりの中間収入：ｍｅｄｉａｎt∈Tｒt                （３）
最大入札価格の平均：［Σt∈Tｍａｘｂｉｄt］／［｜Ｔ｜］      （４）
中間入札価格の平均：［Σt∈Tｍｅｄｂｉｄt］／［｜Ｔ｜］
中間クリック価格の中間：ｍｅｄｉａｎｔ∈Ｔｍｅｄｂｉｄt      （５）
中間クリック：ｍｅｄｉａｎc∈callｃ                          （６）
【００６９】
上記又は他の式を使用したエンドレスの変形例が考えられる。例えば、ある実施形態では、コンセプト先物の寿命より短い期間、例えば、会計四半期ではなく数時間又は数日にわたって最大、平均及び中間入札価格及びクリック価格を計算するのが好ましく又はより自然である。このようなケースでは、コンセプト先物の寿命にわたり、例えば、会計四半期にわたり、平均、中間等を使用して集計を遂行することができる。他の考えられる尺度は、一般大衆の中でコンセプトの人気を捕え又はより効果的に捕えることに焦点を当てることができ、広告及び業務に対する経済的な価値を反映することではない。ある実施形態では、例えば、価値を主観的に手動で決定することができる。
【００７０】
コンセプト（１つ又は複数）の価値の尺度を選択又は決定するときに幾つかのファクタを考慮するのが有用であると認められる。これらのファクタは、（１）市場参加者及び大衆にとって統計学値をいかに理解できるか、（２）市場参加者又は大衆にとって統計学値にいかに関心があるか、（３）防衛措置及び予測に関して統計学値がいかに経済的に関連しているか（以下に詳細に述べる）、（４）当該データの入手性、（５）統計学値の価値を発表することでどれほど多くの独占的情報が露呈されるか、及び（５）意図的な操作に対して統計学値がいかに耐えるかを含む。意図的な操作とは、例えば、コンセプト（１つ又は複数）又は用語（１つ又は複数）の虚偽、不正確、不公平、欺瞞的又は非合理的な価値付けを生じさせるような試みを含み得る。
【００７１】
ある状況における中間クリックは、リストされたファクタの中で良好な兼ね合い又は妥協を与えることが認められる。特に、中間クリックは、理解するのが適度に容易で、防衛措置及び予測の問題に相関されねばならず、計算が容易であり、一般的に著しい内部情報を露呈することがなく、そして平均又は最大演算操作に対してより耐え得る。
【００７２】
本発明のある実施形態では、意図的な操作の影響を減少するために、平均値、平均、中間クリック等を計算するときに、ある数の最高及び最低指数がドロップされる。ある実施形態では、例えば、売買パターンを分析するか、ＩＰアドレス又はクッキーを広告クリックと売買口座との間で比較するか、又は他の技術により、操作が能動的又は受動的に監視される。
【００７３】
配当メカニズム
コンセプト先物のようなコンセプトベースの証券の配当は、図５を参照して上記で簡単に述べた。配当メカニズム又は配当関数は、統計学値の実現された価値をいかに換算するか定義するのにも使用できるし、或いはコンセプト証券所有者への配当へと換算するのにも使用できる。種々の形態の配当メカニズムが考えられる。２つのこのようなメカニズムは、リニア配当と、バイナリー配当である。リニア配当メカニズムでは、各コンセプト証券が、統計学値の実現された価値にリニアに比例する金額を配当することができる。バイナリー配当メカニズムでは、各コンセプトは、統計学値の実現された価値が、例えば、あるスレッシュホールドを越えることにより、統計学値のある予め指定されたブール関数を満足する場合及びその場合にのみ、ある固定金額、例えば、１ドル又は任意の形式の価値の他の単位を配当することができる。
【００７４】
ある実施形態では、配当メカニズムは、従来の証券のような金融証券又は賭け証券に基づくか、又はその証券の後にモデリングされる。これは、市場参加者、大衆、メディア又は企業の間で理解を助け又は付加的な関心を掻き立てることができる。例えば、コンセプトベースの証券に関する配当メカニズムは、以下に詳細に述べるように、他の金融有価証券又は賭けと同様に定義することができる。
【００７５】
ある実施形態では、配当メカニズムは、例えば、株、オプション、先物、及びデリバティブのような金融有価証券と同様に定義される。株であるか、株の後にモデリングされるか、又は株と同様であるコンセプトベースの証券（以下、コンセプトベースの株と称する）については、株ベースの配当技術を使用することができ、これは、統計学値の実現された価値又は価値尺度に比例して四半期のように定期的に支払われる配当金の形態をとることができる。
【００７６】
オプションであるか、オプションの後にモデリングされるか、又はオプションと同様であるコンセプトベースの証券（以下、コンセプトベースのオプションと称する）については、オプションベースの配当技術を使用することができ、これは、ｍａｘ（０、ｓ−ｋ）（コンセプトベースのコールオプション）又はｍａｘ（０、ｋ−ｓ）（コンセプトベースのプットオプション）の形態をとることができ、但し、ｓは、統計学値又は尺度の実現された価値であり、そしてｋは、ある予め指定されたストライク価値である。上述した「クリックごとに支払う」設定では、コンセプトベースのコール又はプットオプションは、例えば、ある将来の時間にあるストライク価格でクリックを購入又は販売する権利、ある将来の時間にあるランクでクリックを購入又は販売する権利、或いはある時間にあるランクでインプレッションを購入又は販売する権利として定義することができる。
【００７７】
先物であるか、先物の後にモデリングされるか、又は先物と同様であるコンセプトベースの証券（以下、コンセプト先物と称する）については、先物ベースの配当技術を使用することができ、これは、例えば、「クリックごとに支払う」設定において、クリック、ある数のクリックの権利、実現時におけるある数のクリックの市場価値、ある数のインプレッションの権利、あるランク又はある関連団体、サイト又は開催地におけるある数のクリック又はインプレッションの権利、或いはそれらの変形又は組み合せの形態をとることができる。
【００７８】
又、コンセプトベースの証券は、例えば、オッズの賭け、ラインの賭け及びパリミューチュエルの賭けのような賭けでもよいし、賭けの後にモデリングされてもよいし、或いは賭けと同様でもよい。コンセプトベースのオッズの賭けについては、統計学値又は価値尺度の２つ以上の個別の結果の各々に指定された現行の即ち現在のオッズに配当を比例させることのできる賭けベースの配当技術を使用することができる。オッズは、市場団体又は市場提供又は運営エンティティの種々の結果又は信念に賭ける参加者の需要に基づいて決定できる。
【００７９】
コンセプトベースのラインの賭けは、例えば、変更された統計学値又は価値尺度の２つの個別の結果の各々に対して等しい配当をもつことができ、ここでは、加算又は減算のような変更は、現行のライン又はスプレッドに基づくものであり、このライン又はスプレッドは、市場団体又は市場提供又は運営エンティティの結果及び／又は信念に賭ける参加者の需要に基づいて決定される。
【００８０】
コンセプトベースのパリミューチュエルの賭けは、例えば、統計学値又は価値尺度の２つ以上の個別の結果の各々に賭ける合計金額に逆比例する配当をもつことができる。１つの変形として、全ての結果に賭けた合計金額から料金を差し引いたものを、勝利した結果に賭けた者の間で、それらの賭け金に比例して分割することができる。
【００８１】
配当出力
配当メカニズムは、配当の金額を決定できるが、配当又は配当出力は、配当の通貨又は形態、或いはどのように配当がなされるかを含む。配当出力は、上述したように、多数の形態をとることができ、本物の金銭、偽金、割引、クリックの権利、或いは有形又は無形価値のアイテムを含む。
【００８２】
本発明のある実施形態では、配当は、本物の金銭でなされるが、他の実施形態では、市場がゲームとして又は一部分ゲームとして運営され、そして配当は、偽金又はゲームマネーを含む他の形態をとり又は部分的にとることができる。ゲームの実施形態では、プレイし（参加し）そして情報を露呈しようとする動機は、楽しもうとするプレーヤの希望、競争精神、勝とうとする意志、権利を自慢する希望、確認の希望等から少なくとも部分的に生じ得る。ある実施形態では、ゲームマネーは、賞金としての現金、市場におけるトランザクション又は価値のある他のものに使用されるべきクレジット、オンラインインターネット売買サイトのような他の市場又は取引に使用できるクレジット、「クリックごとに支払う」又はそれに関連した構成又はオークションをオファーする１人以上のサーチポータル所有者又は運営者から購入するのに使用できるクレジット、「クリックごとに支払う」又はそれに関連した構成又はオークションに関して１人以上のサーチポータル所有者又は運営者とで構成し又はその構成を容易にする別のエンティティからの購入に使用できるクレジット、等々である。ある実施形態では、コンセプトベースの証券市場ゲームは、ある将来の時期に本物の金銭の市場へと移行するように設計できる。
【００８３】
「クリックごとに支払う」又はその関連オークションを所有し、運営し、又はさもなければ、それに関連付けられたエンティティ、並びに価値がオークションの主題であるコンセプト又はコンセプトの用語に基づく証券のようなコンセプトベースの証券における市場に関して、コンセプトベースの証券の市場の参加者には、関連する「クリックごとに支払う」オークションにおいて彼等が消費した金額に基づいてゲーム用の金銭を与えることができる。ある実施形態では、クレジットでの配当に関して、クレジットは、クーポン、割引、又は証明書のようなものの形態をとることができ、これらは、例えば、「クリックごとに支払う」オークションに関連付けられたエンティティ、市場に関連付けられたサーチポータル、或いは「クリックごとに支払う」又はそれに関連したオークションに関してそのようなサーチポータルとで構成を作り上げる１つ以上のアレンジャーエンティティ、に関連して使用することができる。クレジットは、例えば、絶対的等価現金又はパーセント割引の形態をとることができる。クレジットでの配当は、偽金又はゲームマネーの用語で配当を定義し、次いで、偽金又はゲームマネーを使用してクレジットを購入するのを許すことにより、間接的に達成することができる。
【００８４】
上述したように、配当出力は、クリック又はインプレッションの権利にも関係付けることができる。例えば、配当は、クリック又はインプレッションの権利、ある関連団体、サイト又は開催地におけるクリック又はインプレッションの権利、ある期間にわたるあるランクにおけるクリック又はインプレッションの権利、或いは他の変形例の形態で行うことができる。借りた又は約束したクリック又はインプレッションが与えられない場合には報酬を定義することができる。投資のためにスポット市場に入札する商人のリストと入念に一体化するために、クリック又はインプレッションの権利を勝ち得たエンティティのリストが必要となる。
【００８５】
異なる国には異なる法律があるために、異なる国々では異なる形式又はバージョンのコンセプトベース証券市場を運営することができる。例えば、米国では、ゲーム市場を運営することができるが、英国では、本物の金銭を賭けるコンセプトベース市場を運営することができる。
【００８６】
参加者
コンセプトベース市場の参加者は、大衆に開放することもできるし、又はある仕方で制限することもできる。例えば、配当が１つ以上の企業エンティティで購入に使用できるクレジットである場合には、参加者は、これら企業エンティティの顧客に限定することができる。例えば、コンセプトベース市場の運営者がアレンジャーエンティティでもある場合には、クレジットは、アレンジャーエンティティのユーザ又は商人しか使用できない。又、制限は、例えば、コンセプトベース市場の運営が法的に制限された国々からの参加を阻止する形態をとることもできる。
【００８７】
観衆
ある実施形態では、コンセプトベース市場は、種々の価格情報を発生し、これは、図１を参照して説明したように、例えば、コンセプト市場データベースに記憶することができる。市場の観衆は、この価格情報にアクセスできる者として定義することができる。市場の観衆は、市場の参加者のみを含むこともできるし、或いはもっと大きなもので、例えば、市場を所有し又は運営するエンティティの顧客、クライアント又は加入者である商人のような全てのエンティティ、例えば、アレンジャーエンティティ、或いは支払顧客、クライアント、又は加入者を含むことができる。又、観衆は、アレンジャーエンティティの全てのパートナー、例えば、サーチポータル所有者又は運営者も含むことができる。又、観衆は、特定メディアのアウトレット又は一般大衆も含むことができる。
【００８８】
説明上の術語
コンセプトベース市場及び配当に関して種々の術語を使用することができる。このような術語の選択は、参加者、大衆及びメディアの間に理解を与えるために重要である。更に、術語は、潜在的に、規制団体及び法的機関による関心やそれに関連した成果を与えることができる。ある実施形態では、使用する術語は、金融有価証券のエリアでは、デリバティブ、株、オプション及び先物を含み、ギャンブルのエリアでは、オッズ、ライン、賭け、スプレッド、等の馴染み深いギャンブル術語を含む。
【００８９】
ある実施形態では、コンセプトベース市場は、別々の支払プランの中で、１分当たりの将来コストを減少するために前払いフラット支払を増加することを加入者が選択するのを可能にするセルラー電話プランと同様に選択を行うメカニズムとして設定され説明される。例えば、コンセプトベースの証券並びにコンセプト権利、例えば、サーチ結果リスト、広告、又はリンクの権利で、同じコンセプト又はおそらく関係コンセプトに関連したもの、を購入するアレンジャーエンティティの加入者又は商人は、証券を購入することによりアレンジャーエンティティに関してそれらの支払プランを変更するものとして考えることができ且つ説明することができる。例えば、アレンジャーエンティティによる総和は、関連するコンセプトベースの証券に対する購入及び最終的配当によるオフセットとして（又は場合によっては増加された）構成コストを含むことができる。同様に、参加者は、「クリックごとに支払う」構成におけるクリックの量に基づきアレンジャーエンティティによる最終的総和に配当が比例し又はおそらく比例するようなコンセプトベースの証券の購入を保険の形態として考えることもでき、従って、例えば、クリックが多いほど、アレンジャーエンティティによる金銭が多くなるが、証券に対する配当も多くなり、そしてその逆のことも言える。
【００９０】
独立性
コンセプトベース市場は、コンセプト価値尺度又は統計学値の基礎となるデータを発生するエンティティにより完全に所有することもできるし、部分的に所有することもできるし、或いはそれとは独立したものとすることもできる。更に、尺度は、単一のエンティティ、会社又はソースからのデータに基づいてもよいし、或いは多数の独立したソースから集計されてもよい。
【００９１】
ある実施形態では、コンセプトベースの市場における異なるレベル又は形式の参加に対して機会が与えられる。例えば、市場調査の目的で、図１に示すコンセプト市場データベース１１０に記憶され得る売買又は価格データに多量にアクセスする特権に対して支払うか、或いは他の参加者には与えられない他の特権に対して支払う団体トレーダーと称されるある種のトレーダーが存在し得る。更に、デリバティブや相互ファンドを構成することが許された取引メンバーや関連団体も存在し、これらの機能は、さもなければ、市場の所有者に指定されるものである。ある場合に、団体参加又は他のレベルの参加を許可すると、収入を増加することができ、より大きな流動市場、良好なレバレッジ売買又は価格データを許し、或いは関連団体参加の新たな手段を導入することができる。
【００９２】
使用
コンセプトベースの証券については多数の形式の使用が考えられる。これらの使用は、防衛措置（ヘッジ）ツール、投機ツール、予想ツール、データ発生ツール、又は娯楽ツールとしての使用を含む。
【００９３】
防衛措置は、ほぼ全ての企業に対するツールとして重要なものである。しかしながら、トレンド、好み、人気、アイデア、又は技術の変化に対して防衛措置を講じることは、たとえそれらが最も不安定な変数の幾つかであっても、困難であるか又は不可能である。例えば、音楽、映画、テレビ、ファッション、玩具、消費者向け電子装置、コンピュータ、広告等の娯楽産業内では、トレンドの大きな揺れが一般的で、パワフルな力を作用させる。コンセプトベースの証券市場を使用することにより、参加者は、コンセプトの価値の将来の変化に対して防衛措置を講じることができる。例えば、特定のコンセプトに対して広告コストが上昇するという問題のある企業は、それに対応するコンセプト先物を購入し、これにより、将来の価格上昇に対する保険を効果的に購入することができる。例えば、「クリックごとに支払う」設定において広告価格が増加する場合には、企業は、投資を完了するために更に支払をするが、そのコンセプト先物投資の利益で補償される。より一般的には、収入が特定コンセプトの価値に結合された企業は、コンセプトの価値の下降に対して防衛措置を講じることができる。
【００９４】
又、コンセプトベース市場における参加者は、コンセプトの価値の将来の方向に文字通り又は有効に賭けることにより投機ツールとしてコンセプトベース証券を使用することもできる。どのコンセプトの価値が上がり又は下がるか効果的に予想できると感じる参加者は、コンセプト先物市場で売買することにより予想される利益を稼ぐことができる。
【００９５】
又、コンセプトベース証券は、予想ツールとしても使用できる。金融市場及び賭け市場における価格は、たとえそれらがプレイマネーで運営されるときでも、正確な予想を構成することが多数の証拠で立証されている。コンセプトベース証券の価格は、コンセプトの将来価値の予想を与える。例えば、コンセプト先物を使用して、次のクリスマスにはどんな玩具が売れ筋となるか、どんな新車モデルが次の数ヶ月以内に出回るか、どの有名人の人気が間もなく衰えるか、消費者向けエレクトロニックショーで発表されたどの小物が棚から飛び出すか、といった質問に対する回答を予想することができる。例えば、コンセプト先物市場は、このような質問に解答する上で助けとなり得る。
【００９６】
又、コンセプトベース市場は、価格データを含むだけでなく、豊富な特別及び潜在的独占的データも含むデータを潜在的に供給するデータ発生ツールとして使用することもでき、これらデータは、例えば、図１に示すコンセプト市場データベースにセーブすることができる。例えば、若い男性のスポーツファンは何を売り買いするか、どんな年齢層がミニバン関連コンセプトを購入するか、国内のどんな領域がトレンドをリードするか、どんな領域が次に続くか、どんなコンセプト対がトレーダーの強い重畳を共通に有するか、等々の質問に解答する又は回答を助ける非常に価値ある人口統計学的断面情報を得ることができる。このような情報は、他の非公共情報、例えば、量、タイミング、ＩＰアドレス情報、参加者情報等と共に、潜在的に非常に価値あるそして独特の形態の市場調査として再パッケージして販売することができる。
【００９７】
大勢の参加者トレーダーは、おそらく、コンセプトの将来価値の予想を腕試しにやってみるという挑戦及び楽しみだけで動機付けされる。コンセプトベース証券市場に関心をもつことで、貿易、商人、アレンジャーエンティティの関連団体、等々から注意を駆り立て又は引くことができる。
【００９８】
収入
コンセプトベース市場の所有者又は運営者、例えば、アレンジャーエンティティ又は他のエンティティには、種々の収入形態及びソースが得られる。配当出力が本物の金銭である場合には、重要な又は主たる収入ソースは、おそらく、例えば、他の大きな金融又は賭け市場と同様に、市場の所有者又は運営者によって課金できるトランザクション料金である。
【００９９】
特に、市場が充分に確立された後は、リスト料金も収入ソースとなり得る。例えば、リスト料金は、市場に特定コンセプトを配するために課金され得る。例えば、自動車会社は、その最新のモデルをリストするか、又はそのコンセプトカーの１つをリストして、その価値又は人気を計測するために、料金を支払おうとする。
【０１００】
又、団体参加及び取引メンバー参加（上述した）に対する料金も、市場に関連した大量データアクセス又は他のサービス或いは特権に対して課金することができる。
【０１０１】
市場に関連して、パターン、人口統計学的トレンド等のデータを含むデータを販売又は再販売することも、別の収入ソースになり得、このデータは、例えば、図１に示すコンセプト市場データベース１１０に少なくとも最初にセーブすることができる。ある実施形態では、例えば、データマイニング技術、プログラム、又はソフトウェアプログラムを使用して、このようなデータの取得、編成又は収集を助けることができる。
【０１０２】
更に、市場を取り巻く貿易、公共性及び関心の結果として収入を生み出すこともでき、これは、例えば、アレンジャーエンティティのような市場所有者又は運営者のウェブサイトに商人、クライアント、顧客、加入者等を引き付ける上で助けとなる。
【０１０３】
具現化パラメータの例
本発明のある実施形態では、具現化は、次の属性を含む。コンセプトの決定又は定義は、自動クラスター化及び手動点検又は調節の組み合せを使用して実行することができる。中間クリック又は合計収入は、コンセプト価値尺度又は統計学値として使用することができる。配当メカニズムは、株に類似したものである。配当出力は、ゲーム通貨でよく、市場システムは、ゲーム通貨でクレジット又は賞品の購入を許すように移行する能力を有する。参加は、大衆に開放することができ、そして観衆は、大衆でよい。説明上の述語は、金融保険及び株の述語を含むことができる。市場は、アレンジャーエンティティにより完全に所有することができる。団体参加は、最初は許されないが、市場システムは、団体参加ができるように移行する能力をもつことができる。
【０１０４】
本発明のある実施形態において、別の具現化は、次の属性を含む。この具現化は、米国で特に使用できるものである。コンセプトの決定又は定義は、自動クラスター化と、手動点検又は調節との組み合せを使用して実行することができる。中間クリック又は合計収入をコンセプト価値尺度又は統計学値として使用することができる。配当メカニズムは、株に類似したものである。配当出力は、本物の金銭である。参加は、大衆に開放することができ、そして観衆は、大衆でよい。説明上の述語は、金融保険及び株の述語を含むことができる。市場は、アレンジャーエンティティにより少数所有されてもよいし、アレンジャーエンティティから独立したものでもよい。団体参加はこれを許可することができる。
【０１０５】
本発明のある実施形態において、別の具現化は、次の属性を含む。この具現化は、英国で特に使用できるものである。コンセプトの決定又は定義は、自動クラスター化と、手動点検又は調節との組み合せを使用して実行することができる。中間クリック又は合計収入をコンセプト価値尺度又は統計学値として使用することができる。配当メカニズムは、ギャンブルに類似したものである。配当出力は、本物の金銭である。参加は、大衆に開放することができ、そして観衆は、大衆でよい。説明上の述語は、ギャンブルの述語を含むことができる。市場は、アレンジャーエンティティにより少数所有されてもよいし、アレンジャーエンティティから独立したものでもよい。
【０１０６】
本発明の好ましい実施形態を図示して説明したが、当業者であれば、本発明の精神及び範囲から逸脱せずに多数の変更や修正が明らかであろうから、本発明は、上述した方法及び構造の正確な詳細に限定されない。このような変更や修正は、本発明の範囲内に包含されるものとする。
【図面の簡単な説明】
【０１０７】
【図１】本発明の一実施形態に基づく分散型コンピュータシステムのブロック図である。
【図１Ａ】本発明の一実施形態に基づく分散型コンピュータシステムのブロック図である。
【図２】本発明の一実施形態に基づき用語ベースのコンセプトに関連した証券のトランザクションを行う方法を示すフローチャートである。
【図３】コンセプトのサーチ用語を決定することを含む、用語ベースのコンセプトに関連した証券のトランザクションを行う方法を示すフローチャートである。
【図４】サーチベースの広告ビヒクルとしてコンセプトに対する需要の尺度に基づいて価値付けされた用語ベースのコンセプトに関連した証券のトランザクションを行う方法を示すフローチャートである。
【図５】賭けることを含む、用語ベースのコンセプトに関連した証券のトランザクションを行う方法を示すフローチャートである。
【図１】
2006528390.tif 000003
【図１Ａ】
2006528390.tif 000004
【図２】
2006528390.tif 000005
【図３】
2006528390.tif 000006
【図４】
2006528390.tif 000007
【図５】
2006528390.tif 000008
【国際調査報告】
2006528390.tif 000009
2006528390.tif 000010